(57)【要約】      （修正有）【課題】作業者の手やケーブルを傷つけることなく安全かつ効率よくケーブルを背割り防護管内に入線することができる、簡易構造の入線補助具を提供する。【解決手段】長区間に亘って地上に布設されているケーブル１２を、当該ケーブル１２と並列して配置された背割り防護管１４の中に入線する際に使用する入線補助具１０であって、全長に亘って割りが設けられた背割り筒体２０の一端面が斜面とされ、かつ背割り筒体２０の他端部の外周面が径方向に膨出した形状を有する。背割り防護管１４は、長さ方向に切り込まれている割り部を有する防護管であって、適度の柔軟性、可撓性を備え、同様構成の保護管や電線管を含むものである。【選択図】図３
0003147582.tif 000002
【実用新案登録請求の範囲】
【請求項１】
長区間に亘って地上に布設されているケーブルを、当該ケーブルと並列して配置された背割り防護管の中に入線する際に使用する入線補助具であって、
一方端部の端面が割りから斜に切断された形状の斜面とされ、かつ他方端部の外周面が径方向に膨出した形状を有する背割り筒体からなることを特徴とする入線補助具。
【請求項２】
請求項１に記載の入線補助具において、
前記背割り筒体の、斜面とされた端部の開口面を、前記背割り筒体の中間部の外面よりも側方に広がるフレア状に形成したことを特徴とする入線補助具。
【請求項３】
請求項１または２に記載の入線補助具において、
前記背割り筒体の中間部に、前記背割り筒体の割りの一部を覆う背割り管状カバーを回動自在に嵌合して設けたことを特徴とする入線補助具。
【請求項４】
請求項１ないし３のいずれかに記載の入線補助具において、
前記背割り筒体の、斜面とされた端部の開口面が横向きになるように同端部の近傍部分を湾曲成形したことを特徴とする入線補助具。
【請求項５】
請求項１ないし４のいずれかに記載の入線補助具において、
前記背割り筒体の、斜面とされた端部の、同斜面をなす角度をほぼ３０°としたことを特徴とする入線補助具。
【考案の詳細な説明】
【技術分野】
【０００１】
本考案は、長区間に亘って地上に布設されているケーブルを、当該ケーブルと並列して配置された背割り防護管の中に入線する際に使用する入線補助具に関する。
【背景技術】
【０００２】
例えば、地上に設置されたケーブルトラフ内に布設されているケーブルを、当該ケーブルと並列して配置された仮設の背割り防護管の中に移設する場合、従来は、防護管の割りを手先やドライバー等で拡開しながら、長さ方向に亘ってケーブルを順次押し込んで背割り防護管の中に入線していた。
【０００３】
このような入線方法は、施工作業の効率が悪いだけでなく、作業者の手やケーブルを傷つけるおそれがあり改善が望まれていた。
ところで、従来から電線を防護管に機械的に挿入できる防護管送入機が知られている（例えば、特許文献１参照）。
【特許文献１】特開２０００−１９７２２５号公報
【考案の開示】
【考案が解決しようとする課題】
【０００４】
しかしながら、この種の防護管送入機は、柱上に配線された架空配電線に防護管を取り付けるものであって、長区間に亘って地上に布設されているケーブルを、当該ケーブルと並列して配置された背割り防護管の中に入線するのに、このままでは使用することはできない。また、従来の防護管送入機は構成が複雑で高価であり操作に熟練を要するものである。
【０００５】
本考案は、上記の課題を解決するためになされたもので、作業者の手やケーブルを傷つけることなく安全かつ効率よくケーブルを背割り防護管内に入線することができる、簡易構造の入線補助具を提供することを目的とする。
【課題を解決するための手段】
【０００６】
以下の構成はそれぞれ上記の課題を解決するための手段である。
〈構成１〉
長区間に亘って地上に布設されているケーブルを、当該ケーブルと並列して配置された背割り防護管の中に入線する際に使用する入線補助具であって、一方端部の端面が割りから斜に切断された形状の斜面とされ、かつ他方端部の外周面が径方向に膨出した形状を有する背割り筒体からなることを特徴とする入線補助具。
【０００７】
簡易構造であり、作業者の手やケーブルを傷つけることなく安全かつ効率よくケーブルを背割り防護管に入線作業を行なうことができる。
背割り筒体の一方端面が斜面とされていることにより、背割り防護管に対して斜めに入線されるケーブルをスムーズに背割り防護管内に収納できる。また、背割り筒体の他端部の外周面が径方向に膨出した形状であることにより、把持し易く離脱し難いという効果が得られる。
【０００８】
〈構成２〉
構成１に記載の入線補助具において、上記背割り筒体の、斜面とされた端部の開口面を、上記背割り筒体の中間部の外面よりも側方に広がるフレア状に形成したことを特徴とする入線補助具。
【０００９】
ケーブル入線時に背割り筒体の、斜面とされた端部が背割り防護管の割りから抜け出ないようにガイドしながら入線作業をすることができる。
【００１０】
〈構成３〉
構成１または２に記載の入線補助具において、上記背割り筒体の中間部に、上記背割り筒体の割りの一部を覆う背割り管状カバーを回動自在に嵌合して設けたことを特徴とする入線補助具。
【００１１】
背割り筒体に背割り管状カバーを配設することにより、ケーブルを、背割り筒体の割りから抜け出ないようにしてスムーズに入線することができる。
【００１２】
〈構成４〉
構成１ないし３のいずれかに記載の入線補助具において、上記背割り筒体の、斜面とされた端部の開口面が横向きになるように同端部の近傍部分を湾曲成形したことを特徴とする入線補助具。
【００１３】
背割り筒体によりガイドされたケーブルをスムーズに入線できる。
【００１４】
〈構成５〉
構成１ないし４のいずれかに記載の入線補助具において、上記背割り筒体の、斜面とされた端部の、同斜面をなす角度をほぼ３０°としたことを特徴とする入線補助具。
【００１５】
斜面とされた端部の、斜面をなす角度をほぼ３０°とすることにより、背割り筒体によりガイドされたケーブルが最適に自在に動き得る状態となり、ケーブルをよりスムーズに入線できる。
【考案を実施するための最良の形態】
【００１６】
以下、本考案の実施の形態を実施例毎に詳細に説明する。
【実施例１】
【００１７】
図１は、実施例１の入線補助具１０を示す図で、（ａ）は斜視図、（ｂ）は底面図、（ｃ）は正面図である。図２は同入線補助具１０の使用状況を真上から示す説明図、図３は同使用状況を側方から示す説明図である。
【００１８】
入線補助具１０は、全長に亘って割り１６が設けられた背割り筒体２０であって、背割り筒体２０の一方端部が入線端部２２、他方端部が出線端部２４である。入線端部２２の外周面は径方向に膨出した形状とされ、出線端部２４の外周面も径方向に膨出した形状とされ、かつ端面は割り１６から斜に切断された形状の斜面とされている。
【００１９】
背割り筒体２０は、ＶＥ７０配管材（硬質塩化ビニル樹脂）やポリエチレン、ポリプロピレン等の汎用の硬質プラスチックにより成形されているが、アルミニウム等の軽金属で成形されたものでもよい。
【００２０】
背割り筒体２０の出線端部２４の斜面は、図１の（ｂ）、（ｃ）に示すように背割り筒体の割り１６から斜に切断された形状を呈している。さらに、出線端部２４の開口面は、フレア状に拡げられている。
【００２１】
入線補助具１０は、図２、図３に示されるように、長区間に亘って地上に布設されているケーブル１２を、当該ケーブルと並列して配置された背割り防護管１４の中に入線する際に使用される。背割り防護管１４とは、長さ方向に切り込まれている割り１８を有する防護管であって、適度の柔軟性、可撓性を備え、同様構成の保護管や電線管を含む周知の管体である。
【００２２】
入線補助具１０を使用する際には先ずケーブル１２を、入線端部２２から背割り筒体２０に挿通する。あるいは、ケーブル１２を、背割り筒体の割り１６を拡開し、この割り１６から押し込んで背割り筒体２０内に挿入する。次いで背割り防護管の割り１８を拡開しこの割り１８から背割り筒体２０の、出線端部２４を押し込んで図２に示されるように背割り防護管１４内に挿入する。
【００２３】
この状態から、図２、図３に示されるように、背割り筒体２０の中間部を手２６で掴んで背割り筒体２０を、矢印２８の方向に引っ張りながら背割り防護管の割り１８に沿って平行移動することにより、ケーブル１２を背割り防護管１４内に順次入線するようにする。
【００２４】
背割り筒体２０によりガイドされたケーブル１２は、出線端部２４の開口を自在に動き得る状態で通過して背割り防護管１４内に順次入線される。実験により、出線端部２４の開口斜面をなす角度（α）をほぼ３０°とすることがより好ましいことを確認した。
【実施例２】
【００２５】
図４は実施例２の入線補助具３０を示す図で、（ａ）は平面図、（ｂ）は正面図、（ｃ）は底面図である。図５は同入線補助具３０の背割り管状カバーの使用状況を示す図である。
【００２６】
入線補助具３０は、実施例１の背割り筒体２０と同様の形状、材質からなる背割り筒体３２により構成されているが、背割り筒体３２の中間部に、当該背割り筒体の割り３４の一部を覆う背割り管状カバー３６を回動自在に嵌合して設けたものである。
【００２７】
すなわち、大きい背割り筒体３２の中間部に、２つのＣ型押さえ部材３８が図４（ｃ）に示すように割り３４を跨らないように適当間隔を置いて配置されて固着され、これらのＣ型押さえ部材３８間に背割り管状カバー３６が回動自在に嵌合されている。Ｃ型押さえ部材３８は、背割り管状カバー３６の回動方向をガイドしたり、背割り筒体３２からの離脱を防止する役割がある。
【００２８】
背割り管状カバー３６は、背割り筒体３２の外周面にそって回動して背割り筒体の割り３４の一部を覆い、あるいは開放する。図５（ａ）は背割り筒体の割り３４の一部を開放している状態を示しており、この状態でケーブル１２を背割り筒体３２内に挿入できる。また、図５（ｂ）は背割り筒体の割り３４の一部を覆っている状態を示しており、この状態ではケーブル１２が背割り筒体の割り３４から抜け出ることを防止する。
【００２９】
背割り筒体３２にも全長に亘って割り３４が設けられ、一方端部が入線端部４２、他方端部が出線端部４４である。入線端部４２の外周面も径方向に膨出した形状とされ、かつ端面は割り３４から斜に切断された形状の斜面とされている。
【００３０】
背割り筒体の出線端部４４は、図４（ａ）に示すように両側縁部４６が背割り筒体の中間部の外面よりも側方に広がるフレア状に形成されている。また、背割り筒体３２の出線端部４４の近傍部分４８は、図４（ｂ）に示すように同出線端部４４の開口面が横向きになるように（図４（ｂ）では下向きに示されている。）湾曲成形されている。ここで、上記の開口面が横向きとは、背割り筒体３２を横断面でみた場合、径方向の向きをいう。
【００３１】
図６は入線補助具３０の使用開始時の状況を示す説明図、図７は同入線補助具の使用中の状況を示す説明図である。図２、図３と同一部分には同一符号を付して重複説明を省略する。
【００３２】
この入線補助具３０も、図６、図７に示されるように、長区間に亘って地上に布設されているケーブル１２を、当該ケーブルと並列して配置された背割り防護管１４の中に入線するのに使用される。
【００３３】
入線補助具３０を使用する際には先ず背割り管状カバー３６を適宜回動して背割り筒体の割り３４を全長開放状態とする。そしてケーブル１２を、割り３４、あるいは入線端部４２から背割り筒体３２内に挿入する。次いで背割り管状カバー３６を回動して背割り筒体の割り３４の一部を覆った状態とする。
【００３４】
この後、背割り防護管の割り１８を拡開しこの割り１８から背割り筒体３２の出線端部４４を押し込んで図６に示されるように背割り防護管１４内に挿入する。この状態から、図６、図７に示されるように、背割り筒体３２の中間部を掴んで背割り筒体３２を矢印５０の方向に引っ張りながら背割り防護管の割り１８に沿って平行移動することにより、ケーブル１２を背割り防護管１４内に順次入線するようにする。
【００３５】
入線補助具３０は、背割り筒体３２の出線端部４４の両側縁部４６が背割り筒体の中間部の外面よりも側方に広がっているので、背割り防護管の割り１８の中に没入された両側縁部４６の上面が背割り防護管の割り１８の内縁と当接しながら摺動し、背割り筒体３２の抜け出しを防止しながら、スムーズなガイドを行なう。背割り筒体３２によりガイドされたケーブル１２は、出線端部４４の開口を自在に動き得る状態で通過して背割り防護管１４内に順次入線される。
【００３６】
本考案の入線補助具は、簡易構造であり、作業者の手やケーブル１２を傷つけることなく安全かつ効率よくケーブル１２を背割り防護管１４に入線することができるという実用的効果を奏する。
【図面の簡単な説明】
【００３７】
【図１】実施例１の入線補助具を示す図で、（ａ）は斜視図、（ｂ）は底面図、（ｃ）は正面図である。
【図２】同入線補助具の使用状況を真上から示す説明図である。
【図３】同使用状況を側方から示す説明図である。
【図４】実施例２の入線補助具を示す図で、（ａ）は平面図、（ｂ）は正面図、（ｃ）は底面図である。
【図５】同入線補助具の背割り管状カバーの使用状況を示す図で、（ａ）は背割り筒体の割りに対して背割り管状カバーが開いている状態の説明図、（ｂ）は背割り筒体の割りに対して背割り管状カバーが閉じている状態の説明図である。
【図６】同入線補助具の使用開始時の状況を示す説明図である。
【図７】同入線補助具の使用中の状況を示す説明図である。
【符号の説明】
【００３８】
１０  入線補助具
１２  ケーブル
１４  背割り防護管
１６  割り
１８  割り
２０  背割り筒体
２２  入線端部
２４  出線端部
２６  作業者の手
２８  矢印
３０  入線補助具
３２  背割り筒体
３４  割り
３６  背割り管状カバー
３８  Ｃ型押さえ部材
４２  入線端部
４４  出線端部
４６  側縁部
４８  出線端部の近傍部分
５０  矢印
【図１】
0003147582.tif 000003
【図２】
0003147582.tif 000004
【図３】
0003147582.tif 000005
【図４】
0003147582.tif 000006
【図５】
0003147582.tif 000007
【図６】
0003147582.tif 000008
【図７】
0003147582.tif 000009